(57)【要約】【課題】工場でのレンズ調整において広範囲へのアクセスや複雑な工具を必要とせず、また、レンズが光軸に沿って移動し、一の位置での焦点を他の位置での焦点と独立して調整できるカメラ・アッセンブリを提供すること。【解決手段】  カメラ・アッセンブリは光軸を定義するマウントを有する。鏡筒は主部分と該主部分から外側へ突き出た軌道部とを有する。鏡筒はマウントに対して光軸に沿って前進位置と後退位置との間で移動可能である。鏡筒は光軸周りに回転できない。ガイドがマウントから前方へ延びる。移動ストッパがガイドにマウントされる。移動ストッパは光軸周りに螺旋状に傾斜したスキッドを有する。軌道部はスキッドのうち光軸に平行な方向において軌道部と一直線上となる部分を定義すると共に鏡筒の前進位置において軌道部と当接する。この部分は移動ストッパを光軸周りに旋回させることによってスキッドに沿って螺旋状にシフトさせることができる。【選択図】図３
2004354989.tif 000002
【特許請求の範囲】
【請求項１】
カメラ・アッセンブリであって、
光軸を定義するマウントと、
主部分及び該主部分から外側へ突き出た軌道部を備えた鏡筒と、
前記マウントから前方へ延びるガイドと、
前記ガイドにマウントされた移動ストッパとを有し、
前記鏡筒は、前記マウントに対して、前記光軸に沿って、前進位置と後退位置との間で移動可能であると共に、前記光軸周りには回転できず、
前記移動ストッパは、前記光軸周りに螺旋状に傾斜したスキッドを有し、
前記軌道部は、前記スキッドのうち、前記光軸に平行な方向において該軌道部と一直線上となる部分を定義し、
前記部分は、前記鏡筒の前記前進位置を定め、
前記移動ストッパを前記光軸周りに旋回させると、前記部分が前記スキッドに沿って螺旋状にシフトされる、ことを特徴とするカメラ・アッセンブリ。
【請求項２】
カメラ・アッセンブリであって、
光軸を定義するマウントと、
前記マウントから前方へ延びるガイドと、
前記ガイドにマウントされた移動ストッパと、
主部分及び該主部分から外側に突き出た複数の軌道追従部を有する鏡筒とを有し、
前記ガイドは前方リムを有し、
前記移動ストッパは前記ガイドの内部に配置された複数の傾斜部を有し、
前記傾斜部は前記マウントに対して等しく傾いており、
前記移動ストッパは前記ガイドに対して前記光軸周りに旋回可能であり、
前記鏡筒は、前記マウントに対して、前進位置と後退位置との間で前記光軸に沿って移動可能であり、
前記前進位置は前記軌道追従部の各々と前記傾斜部の各々との係合によって定まる、ことを特徴とするカメラ・アッセンブリ。
【請求項３】
カメラ・アッセンブリであって、
光軸を定義するマウントと、
前記マウントから前方へ延びるガイドと、
移動ストッパと、
鏡筒とを有し、
前記ガイドは前方リムを有し、
前記ガイドは中央通路を囲み、
前記ガイドは前記前方リムを貫いて延びる連絡通路を有し、
前記連絡通路は前記前部開口部から半径方向外側に配置され、
前記移動ストッパは前記中央通路を囲み、
前記移動ストッパは前記連絡通路を一直線上に揃えられた橋脚を有し、
前記移動ストッパは前記ガイドの内部に配置された複数の傾斜部を有し、
前記傾斜部は離間され、
前記傾斜部は前記マウントに対して等しく傾いており、
前記移動ストッパは前記ガイドに対して前記光軸周りに旋回可能であり、
前記鏡筒は前記中央通路に配置された主部分と該主部分から外側に突き出た複数の軌道追従部とを有し、
前記鏡筒は、前記マウントに対して、前進位置と後退位置との間で前記光軸に沿って移動可能であり、
前記軌道追従部の各々は、前記前進位置において、前記傾斜部の各々と係合する、ことを特徴とするカメラ・アッセンブリ。
【発明の詳細な説明】
【技術分野】
【０００１】
本発明は、写真撮影及び写真機材に係り、特に移動ストッパを備えたカメラ・アッセンブリに関する。
【背景技術】
【０００２】
カメラ・レンズの調整可能な焦点位置を調整する様々な機構が既知である。
【０００３】
特許文献１には、フロント素子の背後の空間を変えることによって手動で焦点が合わせられるカメラ・レンズが記載されている。フロント・レンズ素子は、軸方向には移動可能であるが回転しないカム・リングに対して、回転する。カムは、フロント・レンズ素子に結合されたカラー（ｃｏｌｌａｒ）上に設けられる。ユーザは、カラー及びフロント素子を回転させることによって、カラー・カムをカム・リングの外側カム群に対して移動させ、空間を変える。フロント空間の無限設定を調整する焦点調整が別途工場で行われる。カム・リングの軸方向位置は、回転できないが軸方向には移動可能なカム・リングに対して、焦点調整リングを回転させることによって調整可能である。カムは、焦点調整リング上に設けられ、カム・リングの内側カム群を押圧する。カム・リング焦点は、カム・リングに結合されたギア・セレクタを動かすことによって、調整することができる。ギア・セレクタは、軸方向シャフトによって回転するピニオン・ギアを備えた工具と噛合する。
【０００４】
特許文献２は、特許文献１と同様であるが、但し、Ｙ字状の特殊工具と、レンズの焦点リングを保持する部材の形をした別の工具とを用いるものである。焦点調整中は、これら工具のための空間が必要である。特許文献１及び２では、調整されたレンズ阻止は、使用中、カメラ本体に対して回転する。
【０００５】
特許文献３及び４は、非回転レンズ用の焦点調整機構について開示している。
【０００６】
特許文献４に記載されたレンズ焦点調整機構では、レンズ機構の複数の移動可能部分がお互いに対して調整される。特許文献３に開示された従来のカメラでは、内部鏡筒サポートのカメラ本体に対する位置は、ワッシャを用いることによって調整される。本発明は、ワッシャを調整可能部材で置き変える。
【特許文献１】米国特許第３，２２０，３０８号明細書
【特許文献２】米国特許第５，６１３，１６８号明細書
【特許文献３】米国特許第４，９１０，５４４号明細書
【特許文献４】米国特許第４，７６４，７８３号明細書
【発明の開示】
【発明が解決しようとする課題】
【０００７】
上記の特許文献に記載された焦点調整機構はいずれも、使用中に利用可能なレンズ位置をすべて変更するものである。
【０００８】
したがって、工場でのレンズ調整において広範囲へのアクセスや複雑な工具を必要としないカメラ・アッセンブリを提供することが望まれる。
【０００９】
また、レンズが光軸に沿って複数の位置に選択的に移動可能であり、これらの複数の位置のうちの一の位置における焦点を他の位置における焦点とは独立して調整できる、カメラ・アッセンブリを提供することも望まれる。
【課題を解決するための手段】
【００１０】
本発明は請求項によって定義される。本発明は、より広義の態様において、光軸を定義するマウントを備えたカメラ・アッセンブリを提供する。鏡筒は、主部分と、該主部分から外側へ突き出たトラッカとを有する。鏡筒は、マウントに対して、伸びた前進位置と縮んだ後退位置との間で光軸に沿って移動可能である。鏡筒は光軸周りに回転できない。マウントから前方へガイドが延びている。このガイドに移動ストッパ（ｔｒａｖｅｌ  ｓｔｏｐ）がマウントされる。移動ストッパは、光軸周りに螺旋状に傾斜したスキッド（ｓｋｉｄ）を有する。軌道部（ｔｒａｃｋｅｒ）は、光軸に平行な方向において軌道部と一直線に揃えられると共に鏡筒が前進位置の状態で軌道部と接触するスキッドの一部分を定義する。この一部分は、移動ストッパを光軸周りに回動させることによって、スキッドに沿って螺旋状に移動させることができる。
【００１１】
本発明の第１の態様は、カメラ・アッセンブリであって、
光軸を定義するマウントと、
主部分及び該主部分から外側へ突き出た軌道部を備えた鏡筒と、
上記マウントから前方へ延びるガイドと、
上記ガイドにマウントされた移動ストッパとを有し、
上記鏡筒は、上記マウントに対して、上記光軸に沿って、前進位置と後退位置との間で移動可能であると共に、上記光軸周りには回転できず、
上記移動ストッパは、上記光軸周りに螺旋状に傾斜したスキッドを有し、
上記軌道部は、上記スキッドのうち、上記光軸に平行な方向において該軌道部と一直線上となる部分を定義し、
上記部分は、上記鏡筒の上記前進位置を定め、
上記移動ストッパを上記光軸周りに旋回させると、上記部分が上記スキッドに沿って螺旋状にシフトされる、カメラ・アッセンブリである。
【００１２】
本発明の第２の態様は、上記第１の態様に係るカメラ・アッセンブリであって、
上記前進位置において、上記軌道部は上記スキッドと係合する、カメラ・アッセンブリである。
【００１３】
本発明の第３の態様は、上記第１の態様に係るカメラ・アッセンブリであって、
上記スキッドは上記ガイドの内部に配置される、カメラ・アッセンブリである。
【００１４】
本発明の第４の態様は、上記第１の態様に係るカメラ・アッセンブリであって、
上記ガイドは上記鏡筒の回転をブロックする、カメラ・アッセンブリである。
【００１５】
本発明の第５の態様は、上記第１の態様に係るカメラ・アッセンブリであって、
上記ガイドは前方リムを有し、
上記移動ストッパは上記前方リムにマウントされる、カメラ・アッセンブリである。
【００１６】
本発明の第６の態様は、上記第５の態様に係るカメラ・アッセンブリであって、
上記鏡筒は、上記前進位置において、上記前方リムを部分的に貫いて延びる、カメラ・アッセンブリである。
【００１７】
本発明の第７の態様は、上記第１の態様に係るカメラ・アッセンブリであって、
上記軌道部を上記スキッドに対して付勢する弾性部材を更に有する、カメラ・アッセンブリである。
【００１８】
本発明の第８の態様は、上記第７の態様に係るカメラ・アッセンブリであって、
上記弾性部材はオーバセンタ機構である、カメラ・アッセンブリである。
【００１９】
本発明の第９の態様は、上記第１の態様に係るカメラ・アッセンブリであって、
上記鏡筒に配置されたレンズ素子を更に有し、
上記レンズ素子は上記移動ストッパから半径方向及び軸方向においてずらされる、カメラ・アッセンブリである。
【００２０】
本発明の第１０の態様は、上記第１の態様に係るカメラ・アッセンブリであって、
上記ガイドは上記光軸周りの上記鏡筒の回転をブロックする、カメラ・アッセンブリである。
【００２１】
本発明の第１１の態様は、上記第１０の態様に係るカメラ・アッセンブリであって、
上記ガイドを囲むツイスト・リングを更に有し、
上記ツイスト・リングは上記光軸周りに回転可能であり、
上記ガイドは上記ツイスト・リングの軸方向変位をブロックし、
上記ツイスト・リングは、該ツイスト・リングの回転により上記鏡筒が上記光軸に沿って移動するように、上記軌道部と係合する、カメラ・アッセンブリである。
【００２２】
本発明の第１２の態様は、上記第１１の態様に係るカメラ・アッセンブリであって、
上記ツイスト・リングは上記光軸周りに螺旋状の内部カム面を有し、
上記軌道部は上記カム面を支える、カメラ・アッセンブリである。
【００２３】
本発明の第１３の態様は、上記第１の態様に係るカメラ・アッセンブリであって、
上記移動ストッパは一体のプラスティック鋳物である、カメラ・アッセンブリである。
【００２４】
本発明の第１４の態様は、カメラ・アッセンブリであって、
光軸を定義するマウントと、
上記マウントから前方へ延びるガイドと、
上記ガイドにマウントされた移動ストッパと、
主部分及び該主部分から外側に突き出た複数の軌道追従部を有する鏡筒とを有し、
上記ガイドは前方リムを有し、
上記移動ストッパは上記ガイドの内部に配置された複数の傾斜部を有し、
上記傾斜部は上記マウントに対して等しく傾いており、
上記移動ストッパは上記ガイドに対して上記光軸周りに旋回可能であり、
上記鏡筒は、上記マウントに対して、前進位置と後退位置との間で上記光軸に沿って移動可能であり、
上記前進位置は上記軌道追従部の各々と上記傾斜部の各々との係合によって定まる、カメラ・アッセンブリである。
【００２５】
本発明の第１５の態様は、上記第１４の態様に係るカメラ・アッセンブリであって、
上記傾斜部は上記移動ストッパ周りに等しい角度間隔で配置され、
上記軌道追従部は上記鏡筒の上記主部分周りに等しい角度間隔で配置される、カメラ・アッセンブリである。
【００２６】
本発明の第１６の態様は、カメラ・アッセンブリであって、
光軸を定義するマウントと、
上記マウントから前方へ延びるガイドと、
移動ストッパと、
鏡筒とを有し、
上記ガイドは前方リムを有し、
上記ガイドは中央通路を囲み、
上記ガイドは上記前方リムを貫いて延びる連絡通路を有し、
上記連絡通路は上記前部開口部から半径方向外側に配置され、
上記移動ストッパは上記中央通路を囲み、
上記移動ストッパは上記連絡通路を一直線上に揃えられた橋脚を有し、
上記移動ストッパは上記ガイドの内部に配置された複数の傾斜部を有し、
上記傾斜部は離間され、
上記傾斜部は上記マウントに対して等しく傾いており、
上記移動ストッパは上記ガイドに対して上記光軸周りに旋回可能であり、
上記鏡筒は上記中央通路に配置された主部分と該主部分から外側に突き出た複数の軌道追従部とを有し、
上記鏡筒は、上記マウントに対して、前進位置と後退位置との間で上記光軸に沿って移動可能であり、
上記軌道追従部の各々は、上記前進位置において、上記傾斜部の各々と係合する、カメラ・アッセンブリである。
【００２７】
本発明の第１７の態様は、上記第１６の態様に係るカメラ・アッセンブリであって、
上記移動ストッパは上記マウントに接着される、カメラ・アッセンブリである。
【００２８】
本発明の第１８の態様は、上記第１７の態様に係るカメラ・アッセンブリであって、
上記ガイドは上記マウントにスナップされる、カメラ・アッセンブリである。
【発明の効果】
【００２９】
工場でのレンズ調整において広範囲へのアクセスや複雑な工具を必要としない改善されたカメラ・アッセンブリが提供されることが本発明の有益的な効果である。
【００３０】
また、レンズが光軸に沿って複数の位置に選択的に移動可能であり、これらの複数の位置のうちの一の位置における焦点を他の位置における焦点とは独立して調整できる、改善されたカメラ・アッセンブリが提供されることも本発明の有益的な効果である。
【発明を実施するための最良の形態】
【００３１】
本発明の上記及び他の特徴及び目的並びにそれらを達成するための方法をより詳しく説明する。本発明自体は、添付図面と共に以下に述べる本発明の一実施形態を参照することによってより明らかとなる。
【実施例】
【００３２】
本明細書において、「固定された」という語及び類似の語は、動かない又は変更されない物理的位置又は関係を意味する。また、「カメラ・アッセンブリ」という語は、完全なカメラ、又は、他の部品と共に組み立てられることによって完全なカメラとすることができるカメラの不完全なサブユニット、を指す。「カメラ・アッセンブリ」という語は、完全な使い捨てカメラ、及び、使い捨てカメラのサブアッセンブリ、を含む。「カメラ・アッセンブリ」という語における「カメラ」の用法は、考えられる特定のカメラ・アッセンブリの使用を制限しない。例えば、レンズ系を含む「カメラ・アッセンブリ」は、同じ部品を双眼鏡の部品として用いることを含む。便宜上、カメラ・アッセンブリは、一般的には、完全なカメラにおける個々の機能に関連したより記述的な名前で示される。
【００３３】
ここで特に図１〜４を参照する。カメラ１０は、前部カバー１６及び後部カバー１８を有するシェル内に保持されたフレーム・アッセンブリ１２を有する。フレーム・アッセンブリ１２は、フレーム２０を含む。フレーム２０には、他の多くのカメラ部品が取り付けられる。ここに開示する実施形態において、これら部品の１つはレンズ・モジュール２２である。レンズ・モジュール２２は、フレーム２０に結合されるサポート２４を含む。
【００３４】
サポート２４は、マウント２６と、マウント２６に結合されるガイド２８とを有する。サポート２４は、フレーム２０に対して、不可逆的に取り付けられてもよく、或いは、着脱可能に取り付けられてもよい。使い捨てカメラをリサイクルするためには、後者の方が便利である。取付方法は任意でよい。サポート２４は、フック３０及び対応する歯止め（図示せず）によって、フレーム２０へ引っかけられてもよい。他の種類の留め具も用いることができる。また、サポート２４は、フレーム２０に接着されてもよく、或いは、摩擦ばめ又は何らかの他の手段によって保持されてもよい。フレーム２０とサポート２４、又は、フレーム２０とマウント２６は、所望であれば一体のプラスティック鋳物として作られてもよく、或いは、各々が一体のプラスティック鋳物として作られてもよい。
【００３５】
カメラ１０は、画像を撮り込み、保存するキャプチャ・ユニット３２を有する。用いられるキャプチャ・ユニット３２の種類は任意でよい。キャプチャ・ユニット３２は、写真フィルム上に画像を撮り込むことができる。その場合、フレーム２０が一対の対向するチャンバ（図では別々に見えない）を有すると便利である。フィルムは、キャプチャ面（図示せず）を越えてチャンバからチャンバへ巻かれる。フィルム送り３４などのフィルム関連部位（図示せず）は、当業者には良く知られた方法で設けることができる。
【００３６】
電子キャプチャ・ユニットを用いる場合、写真フィルムは電子イメージャ（図示せず）に置き換えられる。イメージャは、電子メモリを有する制御システムによって制御される。撮り込まれた画像はメモリに保存される。制御システムは、保存された画像を操作することができる。このような電子キャプチャ・ユニットの特徴は当業者には良く知られている。
【００３７】
当業者には良く知られているフラッシュ・ユニット３６及び他のカメラ部品も、カメラ１０に含まれてもよい。フラッシュ・ユニット３６及び他の部品は、フレーム２０にマウントされるか、或いは、フレーム２０とカバー１６、１８との間に保持される。
【００３８】
サポート２４は光軸３８を定義する。ガイド２８は、光軸３８に沿ってマウント２６から前方へ延び、光軸３８に揃えられた中央通路４０を取り囲む。「取り囲む」という語及び類似する語は、広義で使われており、円形の形状やギャップ又は開口部の無い構造に限定されない。ここで説明する実施形態では、中央通路４０の横断面は略円形である。同様の考察は他の形状をした類似の部位を有する実施形態に適用されることは明らかである。ガイド２８は、フレーム２０に隣接した後方リム４２と、後方リム４２に対向した前方リム４４とを有する。
【００３９】
マウント２６は、ガイド２８を受け入れる前方に向けて凹の浅いカップ（図３〜７参照）である。マウント２６の中央開口部４６は、フレアを低減するために所望でない光をブロックするマスク構造４８により、広げることができる。ガイド２８は、パチンと閉める、接着される、など何らかの方法によってマウント２６に固定的に留められる。マウント２６及びガイド２８は、２つの部材として設けられるのが便利であるが、一体の部材として設けられることも可能である。
【００４０】
鏡筒５０は、後退位置から複数の中間位置を通って前進位置まで光軸３８上を中央通路４０に沿って前後に移動できる。この動きが直線運動であり、且つガイド２８が光軸３８周りの鏡筒５０の回転を阻止する、ことが好ましい。鏡筒５０は、鏡筒５０が前進位置及び後退位置のいずれにいても完全にガイド２８内に収まってもよく、或いは、鏡筒５０が前進位置にあるとき又は前進位置及び後退位置いずれにあるときにも、ガイド２８から突き出ていてもよい。ここでは、主に、鏡筒５０が前進位置においても後退位置においてもガイド２８内に完全に収まる実施形態を例に挙げて、本発明を説明する。前部カバー１６は、光軸３８に揃えられたカバー開口部５２を除き、ガイド２８を囲む。あるいは、鏡筒５０は、前進位置において又は前進位置及び後退位置の双方において、ガイド２８から突き出ていてもよい。その場合、前部カバー１６の開口部５２のマージンは、鏡筒５０（図示せず）を取り囲む。
【００４１】
次に、図８〜１２及び図３３〜３５を参照する。鏡筒５０の前進位置及び後退位置は、前部レスト５４及び後部レスト５６によってそれぞれ区切られる。両レスト５４、５６は、光軸３８に沿って互いに及び中央通路４０の各縁から離間して設けられる。鏡筒５０は、第一及び第二の接触面５８、６０を有する。前進位置において、第一の接触面は前部レスト５４を押圧する。後退位置において、第二の接触面６０は後部レスト５６を押圧する。
【００４２】
図８〜１０及び図３３〜３５は、前部レストの一実施形態を示す。図１１〜１２は別の一実施形態を示す。後部レスト５６は、要望に応じて、同じでもよく、異なってもよい。図８〜１０及び図３３〜３５の実施形態において、前部レスト５４は、ガイド２８の前方リム４４に結合された移動ストッパ６２ａの内表面の一部である（この実施形態は後に詳述する）。
【００４３】
図１１及び１２の実施形態において、前部レスト５４は、前方リム４４の内側へ延びる一群の突起又は柱６４である。所望であれば、調整可能なレストを設ける代わりに、前方リム４４のネジ穴を貫くボルトを用いてもよい。図１１及び１２において、鏡筒５０の第一の接触面５８は平らである。図３３〜３５に示すように、第一の接触面５８は、ピン又は他の構造上に設けられてもよい（後に詳述する）。前方リム４４及び第一の接触面５８の一方又は双方は、突起などを有してもよい。あるいは、前方リム４４及び第一の接触面５８の一方又は双方は、平らでもよい。
【００４４】
第一及び第二の接触面５８、６０と前方及び後方リム４４、４２の各々との間の接触は、三脚、すなわち三点接触、であることが好ましい。例えば、図１１及び１２の実施形態において、３つの突起６４が設けられてもよい。三点接触は、あらゆる傾く危険性を低減すると共に、接触面積も低減する。これにより、製造時の正確な部品位置合わせが簡素化される。
【００４５】
図１〜３及び図８〜１０を参照すると、ツイスト・リング６６がガイド２８上にマウントされた実施形態もある。ツイスト・リング６６は、ガイド２８を取り囲むか、或いは、ガイド２８の周囲の少なくとも一部に沿って延びる。ツイスト・リング６６は、ツイスト・リング６６の回転により鏡筒５０が光軸３８に沿って前進位置と後退位置との間で動くように、鏡筒５０と機械的に係合する。ツイスト・リング６６は、ガイド２８の前方リム４４及び／又は移動ストッパ６２などの他の部品によって、軸方向において所定の位置から動けない。ツイスト・リング６６と鏡筒５０との間の機械的結合は、カムタイプの前進／後退機構である。他の種類の前進／後退機構を用いることもできる。例えば、ツイスト・リング６６及び鏡筒５０は、ギアトレイン、カム・スロット又はカム溝に乗ったピン、などによって接続されてもよい。
【００４６】
鏡筒５０は、図３及び４に示すように、支持構造として機能する移動体（ｔｒａｖｅｌｅｒ）６８と、移動体６８の前端を閉じるキャップ７０とを有する。移動体６８及びキャップ７０の各々は、一体のプラスティック鋳物でもよい。図示した実施形態では、移動体６８は、軌道部（ｔｒａｃｋｅｒ）７２を含み、光軸３８に対して垂直方向に延びる横壁７４と、横壁７４を取り囲む環状外壁７６とを有する。横壁７４は、光軸３８と一直線上の中央開口部又は主アパーチャ７８を有する。
【００４７】
特定の実施形態において、軌道部７２は、鏡筒５０の主部分８２に対して外側へ延びる３つの軌道追従部（ｔｒａｃｋ  ｆｏｌｌｏｗｅｒ）８０を有する。軌道追従部８０は、移動体６８がサポート２４に対して傾くのを防ぐのを助けるために、移動体６８周りに等間隔で離間されてもよい。各軌道追従部７０は、離間した一対の柱８４を有する。ツイスト・リング６６は、ツイスト・リング６６が右方向設定と左方向設定との間で回転するときに移動体６８が光軸３８に沿って前方及び後方へ動くように、移動体６８の軌道部７２を受け入れ、移動体６８を制約するトラッキング部分８６を有する。ツイスト・リング６６のトラッキング部分８６は、光軸３８周りに螺旋状となった一群の内部軌道８８である。各軌道８８は、移動体６８の軌道追従部８０の１つをそれぞれ受け入れる。特定の実施形態において、軌道８８は、ツイスト・リング６６の環状壁９０から光軸３８へ向けて延びる螺旋状のリブである。軌道８８は、個々の軌道追従部８０の柱８４の間で把持される。あるいは、軌道８８は、溝又は一対の平行なフェンスでもよい。この場合、該溝又は一対の平行なフェンスは、この溝に又はこの一対の平行なフェンスの間に乗るように構成された軌道追従部８０を受け入れる。また、鏡筒５０及びツイスト・リング６６の前進／後退機構の部位は入れ替え可能である。例えば、柱８４は、鏡筒５０ではなく、ツイスト・リング６６上に設けられてもよい。
【００４８】
軌道追従部８０は、ガイド２８の対応するスロット９２を貫いて軌道８８まで延びる。各スロット９２は、光軸３８に平行に延びる。図示した実施形態では、３つのスロット９２と、対応する３つの軌道８８が存在する。軌道追従部８０は、ツイスト・リング６６が回転するとき、軌道８８に沿ってスライドする。軌道追従部８０は、サポート２４のスロット９２によって保持されているため、これにより、鏡筒５０は光軸３８に沿って内側へ又は外側へ直線的に行き来する。
【００４９】
第一及び第二の接触面５８、６０は、移動体６８の一部である。図３３〜３５に図示した実施形態において、第一及び第二の接触面５８、６０は、軌道追従部８０の柱８４の一部に対向する。
【００５０】
図１１及び１２に図示した実施形態において、第一及び第二の接触面５８、６０は、移動体６８の前部及び後部である。この実施形態において、ツイスト・リング６６は存在しない。代わりに、移動体は、移動体６８の柱２０８を受け入れる回動可能リンク２０２を用いて、往復運動する。リンク２０２は、カメラの外部からアクセス可能な回転可能ノブ又は類似の機能（図示せず）に固定的に（動かないように）結合される。ガイド２８の軌道部７２及びスロット９２を上述のように設けることもできるし、或いは、簡素化して設けることもできる。本実施形態において、軌道部は、移動体の移動中、案内と心出しのみを提供する。簡素化の例は、スロット９２がガイド２８を完全に貫くまで延在しないようにスロット９２の深さを制限すると共に、軌道追従部８０における柱８４の数を減らすことである。
【００５１】
ここでの実施形態の中には、鏡筒５０が前進位置及び後退位置のみで使用可能であり、中間位置では使用できない、とするものもある。付勢部９４は、後に詳述するように、鏡筒５０が中間位置で停止するのを阻止する。これにより、移動体６８は、鏡筒５０が中間位置にあるときに、光軸３８と厳密に一直線上に揃えられる必要がない。ガイド２８は、このおよそ整列を提供する。また、ガイド２８は、移動体６８を前進位置及び後退位置において光軸３８と緊密に一直線上に揃ったまま維持する。
【００５２】
特に図３３〜３５を参照すると、軌道追従部８０は、ツイスト・リング６６の軌道８８及びガイド２８のスロット９２によって緩く保持されている。ツイスト・リング６６は、ガイド２８に緩く嵌め込まれている。各軌道追従部７０の位置は、個々の軌道８８及びスロット９２によって決定される。スロット９２における軌道追従部８０の緩い嵌め合い及びガイド２８上でのツイスト・リング６６の緩い嵌め合いにより、移動体６８が前進位置と後退位置の間で移動中にツイスト・リング６６及び移動体６８が光軸３８に対して角度がずれることが許容される。公差が緩いほど製造コストが下がるという点で、緩い嵌め合いは有益的である。これは問題ではない。なぜなら、移動体６８が傾くのは、移動体６８の前進位置と後退位置の間の中間位置に限られるからである。前進位置及び後退位置において、移動体６８の接触面５８、６０は、それぞれレスト５４、５６と係合している。既述のように、移動体６８がガイド２８に対して傾くリスクを除去するのに更に役立たせるために、レスト５４、５６と接触面５８、６０の各々との間に３点接触を設けることができる。
【００５３】
ツイスト・リング６６及び軌道８８の緩い嵌め合いは、移動体６８の他の動きも可能にする。軌道追従部８０は、ガイド２８の各スロット９２に対して光軸３８周りに前後にわずかに旋回可能である。これは無視できる。移動体に設けられる光学素子（後述）は、光軸３８周りの回転に対して均一な特性を持つことができる。また、移動体６８は、光軸３８に平行な方向にずれるリスクを有する。この平行なずれは、移動体６８の外壁７６とガイド２８の中央通路４０の寸法を接近させることによって制限することができる。これは、ガイド２８全体に亘って行われてもよく、或いは、移動体６８がそれぞれ前進位置及び後退位置に入るガイド２８のフロント及びリアのみで行われてもよい。
【００５４】
ここで図４及び１３〜１９を参照すると、移動体６８にターレット９６が配置され、ターレット９６は移動体６８により支持される。ターレット９６は、移動体６８と共に、前進位置と後退位置の間に漂う。ターレット９６は、１つ又は２つの後部光学素子用座部９８、９９を有する。座部９８、９９は、アパーチャ１００、１０２をそれぞれ囲む。ターレット９６は、移動体６８に対して、移動体６８を通り、光軸３８に平行な旋回軸１０４周りに、旋回可能である。ターレット９６は、図８及び１７に示す第一の位置と図１０及び１８に示す第二の位置の間で回動する。ここで、第一の位置は、アパーチャ１００のうちの１つが光軸３８と揃う位置であり、第二の位置は、アパーチャ１００が光軸３８から離間し、もし存在すれば、第二のアパーチャ１０２が移動体６８の中央開口部７８と一直線上となる位置である。
【００５５】
ここに開示した実施形態において、ターレット９６は、移動体６８の外壁７６と光軸３８との間に配置される。これは、使い捨てカメラについて有益的である。なぜなら、外壁７６は、前部カバー１６及び後部カバー１８が取り外されるリサイクル段階において衝撃等からターレット９６を保護することができるからである。
【００５６】
フロント・レンズ素子１０６は、光軸３８と一直線上に、移動体６８の中央開口部７８上にマウントされる。１又は複数の追加的光学素子（図示せず）が移動体６８内に配置されてもよい。ここに開示した実施形態において、第一のターレット・レンズ素子１０８は、第一の後部光学素子用座部９８の第一の後部アパーチャ１００上にマウントされる。第二のターレット・レンズ素子１１０は、第二の後部光学素子用座部９９の第二の後部アパーチャ１０２上にマウントすることができる。フロント・レンズ素子１０６及びリア・レンズ素子１０８及び１１０並びに（もし存在すれば）他のレンズ素子は、まとめて、撮り込み面に光を向ける撮影レンズ系を有する。リア・レンズ素子１０８、１１０はそれぞれ、ターレット９６の第一の位置及び第二の位置において、光軸３８と一直線上となる。
【００５７】
図３３〜３５に示した実施形態において、フロント・レンズ素子１０６及び第一のターレット・レンズ素子１０８は第一のダブレット・レンズであり、フロント・レンズ素子１０６及び第二のターレット・レンズ素子１１０は第二のダブレット・レンズである。第一及び第二のリア・レンズ素子１０８、１１０は、異なる光学倍率を有し、第一及び第二のダブレット・レンズの異なる集束距離又は焦点距離を提供する。ターレット・レンズ素子の一方又は双方に加えて又は代えて他の光学素子を設けることもできる。
【００５８】
ここで図４、１３〜１６、及び４１〜４４を参照すると、実施形態の中には、シャッター１１２が横壁７４とターレット９６の間の移動体６８に配置されるものもある。シャッター１１２は、移動体６８と共に、光軸３８に沿って前後に動く。シャッター１４は、通常は閉じている。閉じているとき、シャッター１４は中央開口部７６をしっかりと覆っている。
【００５９】
シャッター１１２は、フレーム２０にマウントされたシャッターリリース１１６を含むシャッター機構１１４の一部である。ユーザは、シャッターリリース１１６をリリースして、シャッター１１２を一瞬開くことができる。中央開口部７６がブロックされた閉位置と中央開口部７６が開かれた開位置との間で移動体６８に対して旋回する単羽根インパクト・シャッターが図示されている。
【００６０】
シャッター１４は、シャッター駆動レバー１１８によって駆動される。シャッター駆動レバー１１８は、フィルム送り３４によって、チャージ状態へチャージされる。ディジタル・カメラは、より簡素な機構によって駆動される同じシャッターを用いてもよく、或いは、別の機械的シャッターを用いてもよく、或いは、イメージャの内部エレクトロニクスと用いられるイメージャに応じてシャッターとして機能する制御システムとを用いてもよい。
【００６１】
フィルム送り３４は、フレーム２０の上部角近くに回転するようにマウントされた指回し式円形板及び計測円板の組み合わせ１２０を含む。円板１２０の一部は、後部カバー１８を超えて延在し、カメラ操作者がアクセスできる。所望であれば、円板１２０は、ユーザによって直接駆動されるのではなく、巻き上げノブ、レバー、電気モータ、などの装置によって駆動されてもよい。
【００６２】
写真フィルム１２２は、当初、１つのフィルム・チャンバ（図示せず）にコイル状に巻かれており、（図４１に矢印１２１で示された）撮り込み面を越えて、該フィルムの一端がフィルム・カートリッジ７６のスプール１２４によって保持された別のフィルム・チャンバ（図示せず）まで延びる。円板１２０は、円板１２０の正回転によりフィルム１２２がカートリッジ７６内に巻かれ、撮り込み面１２１を過ぎて進むように、円板１２０をフィルム・カートリッジ・スプール１２４に接続されたキー（図示せず）を有する。逆方向の回転を防止するために、逆止つめ１２６が円板１２０のエッジに対して弾性的に付勢される。
【００６３】
フィルム計測スプロケット１２８は、フレーム２０によって旋回可能に支持されたスプロケット・シャフト１３０を有する。スプロケット１２８は、フィルム７０の目と係合し、フィルム７０が１フィルム・フレームに対応する距離だけ進められるたびに１回転する。
【００６４】
アクチュエータ・ディスク１３２及びチャージ・カム１３４は、固定された（動かない）関係を維持するために、スプロケット１２８と共に一体に作られるか、或いは、スプロケット１２８と共に組み立てられる。アクチュエータ・ディスク１３２は、ノッチ１３６以外には中断されない連続した円周を有する。チャージ・カム１３４は、一側面上に螺旋状面を有する。
【００６５】
フィルム計測レバー１４４は、フレーム２０によって旋回運動可能に支持される。計測レバー１４４は、コイルバネ１４６によって起動方向に付勢される。計測レバー１４４は、端が歯となった第一のアーム１４８とつめを備えた第二のアーム１５０とを有する。計測レバー１４４の歯の付いたアーム１４８がアクチュエータ・ディスク１３２のノッチ１３６に受け入れられたとき、計測レバー１４４のつめアーム１５０は円板１２０の歯が付いたリムと係合し、フィルム１２２の進行を一時的にブロックする。
【００６６】
シャッターリリース１１６は、シャッターリリース１１６の可撓性アーム１４０の片持ち端近くに配置されたシャッターボタン１３８を含む。アーム１４０は、シャッターボタン１３８の近くに、ラッチ部材１４２を担持した垂直つまみを有する。
【００６７】
シャッター駆動レバー１１８は、バネ１５２によって付勢される。シャッター駆動レバー１１８は、シャッター駆動レバー１１８をバネ１５２とは反対側のチャージ状態に保持するために、ラッチ部材１４２によって係合される座１５４を有する。また、シャッター駆動レバー１１８は、フィルム送り３４のチャージ・カム１３４と係合するように配置されたカム追従フィンガ１５４を有する。
【００６８】
１組の連結棒１５６、１５８がフレーム２０から外へ延びる。第一の連結棒１５６は、シャッター駆動レバー１１６と結合される。棒１５６及びレバー１１６は一体の鋳物の異なる部分であることが好ましい。連結棒１５６、１５８の各々は、対向した第一端及び第二端を有する。第一端同士は、互いに離間しており、各々がフレーム２０に対して旋回可能に結合される。平行棒１６４は、２つの連結棒１５６、１５８の第二端に旋回可能に結合される。ストライカー（ｓｔｒｉｋｅｒ）１６６が平行棒１６４と共に移動する。ストライカー１６４は平行棒１６４に結合されることが好ましい。
【００６９】
図４１に示すように、シャッター駆動レバー１１８がチャージ状態で、カメラ１０が露出可能な状態のとき、シャッター駆動レバー１１８の座は、ラッチ部材１４２によって係合され、シャッター駆動レバー１１８をバネ１５２とは反対のチャージ状態に保持する。これに先立ち、フィルム進行中、スプロケット１２８は、計測レバー１４４の歯付きアーム１４８がアクチュエータ・ディスク１３２のノッチ１３６内にある位置へと回転している。これにより、計測つめアーム１５０は、バネの影響下で、円板１２０と係合する。シャッター駆動レバー１１８のカム追従フィンガは、チャージ・カム１３４とは接触しない。
【００７０】
写真撮影者がシャッターボタン１３８を押して露光を開始すると、シャッターリリース１１６は準備状態からリリース状態へとリリースされる。シャッターボタン１３８はラッチ部材１４２を動かしてシャッター駆動レバー１１８の座との係合から外す。シャッター駆動レバー１１８は、バネによって、チャージ状態から解放状態へ急激に旋回させられる。これにより、ストライカーはシャッター１１２の座１６８と衝突し、シャッター１１２は閉状態から開状態へ回転する。座１６８は、シャッター１１２の残りの部分から光軸３８に平行な方向に延びるシャッター１１２の延長部分１７０上にある。延長部分１７０は、移動体６８が前進位置及び後退位置にあるときに、座１６８とストライカー１６６が重なるようにする。座１６８の衝突により、シャッター１１２は光画像を撮り込み面上に露光するアパーチャから離れる。アパーチャは、一瞬、覆われなくなる。ストライカーがシャッター１１２の座１６８を通り過ぎると、シャッター１１２はシャッター戻しバネ１６９による付勢により、閉状態へ戻る。
【００７１】
フィルム露光が完了すると、シャッター駆動レバー１１８は、動いて、計測レバー１４４の下方へ延びるヨーク１７３と係合する。これにより、計測レバー１４４は、バネ１４６によって計測部材上に及ぼされたより弱い力を押さえ込み、非起動位置へ回転する。したがって、計測つめアーム１５０は、円板１２０から外れ、計測部材歯付きアーム１８はアクチュエータ・ディスク・ノッチ１３６から引っ込む。これにより、フィルム１２２を次の有効フレームへ進めるように送り機構３４を作動させることができる。
【００７２】
次に、写真撮影者が円板１２０を正方向に回転させると、フィルム１２２はスプール１２４上に巻かれる。これにより、計測スプロケット１２８は同じ方向に回転する。チャージ・カム１３４は、シャッター駆動レバー１１８のフィンガ１７１と係合し、それを回転させチャージ状態へと戻す。
【００７３】
非常に様々な他の適切なシャッター機構が当業者には既知であると共に現在入手可能なカメラにおいて一般的に用いられている。
【００７４】
ここで、図４、８〜１０、及び１３〜１９を参照する。ターレット９６は、対向する表面１７２及び裏面１７４を有する。１つ又は２つの後部レンズ素子１０８、１１０は、裏面１７４にもたれて配置される。シャッター１１２は、表面１７２と密接に隣接する。ターレット９６は、一群のスタンドオフ１７９に対して旋回する。スタンドオフの各々は、移動体６８の横壁７４の一部である。スタンドオフ１７９は、シャッター１１２が動くための空間を横壁１７４とターレット９６の間に提供する。シャッターは、横壁７４及びターレット９６の表面１７４に密接に隣接する。一方又は双方と接触してもよい。スタンドオフは、過剰な摩擦無しで移動体を支持するように構成される。図示した実施形態において、スタンドオフ１７９は、リブ１７６と、２以上の点１８１（図１９において最も良く見える）とを有する。
【００７５】
バッカー（ｂａｃｋｅｒ）１７８が移動体６８に結合される。バッカー１７８は、サポート２４に対して、移動体６８と共に移動する。ターレット９６は、バッカー１７８と移動体６８の横壁７４との間にはまる。バッカー１７８は、リサイクル中にレンズ・モジュール２２がカメラ１０の残りの部分から分離され得る使い捨てカメラについて有益的である。なぜなら、バッカー１７８はターレット９６をダメージから保護するのに役立つからである。
【００７６】
次に、図５〜１０及び１６〜１９を参照する。ターレット９６は、カム・スロット１８４内に延び、対向する端１８６、１８８間でカム・スロット１８４に沿って移動するカム追従部１８０を有する。ターレット９６は、カム追従部１８０がかむスロット１８４の第一端１８６へ移動すると、第一の位置へ旋回する。
【００７７】
ターレット９６の旋回は、カム追従部１８０が第一端１８６に配置されると第一の設定となり、カム追従部１８０が第二端１８８に配置されると第二の設定となるように、移動体６８の軸方向移動と機械的に同期が取られる。移動体６８は、第一の設定において後退位置にあり、第二の設定において前進位置にある。
【００７８】
本発明の特定の実施形態において、サポート２４は、第一のカム面１９２を有し、前方へ延びるカム・フィンガ１９０を有する。ガイド２８は、カム・フィンガ１９０を受け入れるカム・ノッチ１９４を有する。カム・ノッチ１９４は、第二のカム面１９６を有する。第一のカム面１９２は、光軸３８に平行な想像線に対して傾いている。第二のカム面１９６は、第一のカム面１９２と平行で、第一のカム面１９２から離間している。カム面１９２、１９６は相まって、カム・スロット１８４と、対向した第一端１８６及び第二端１８８とを定義する。一体に結合された別部材であるサポート２４及びガイド２８の上に第一及び第二のカム面１９２、１９６を設けることは、サポート２４を一体のプラスティック鋳物として、ガイド２８を別の一体のプラスティック鋳物として、鋳造することを簡易にするのに有益的である。
【００７９】
次に、主として、図２０〜２３を参照する。付勢部９４は、鏡筒５０が前進位置にあるときに第一の接触面５８を前部レスト５４へ向けて押し、鏡筒５０が後退位置にあるときに第二の接触面６０を後部レスト５６へ向けて押す。また、付勢部９４は、鏡筒５０を中間位置から前進位置又は後退位置の近い方へ向けて押すことが好ましい。また、付勢部９４は、ターレット９６に対して直接的に又は間接的に作用し、ターレット９６のカム追従部１８０を、カム・スロット１８４の第一端１８６と第二端１８８の間の中間位置の連続状態から解放し、カム・スロット１８４の第一端１８６及び第二端１８８へ向けて押す。既述のように、これは移動体６８の連係している。
【００８０】
付勢部９４は、１以上の調整オーバセンタ機構を有する。この鏡筒５０を駆動する１以上の調整オーバセンタ機構は、高度な付勢と、正方向に付勢される第一の状態と逆方向に付勢される第二の状態との間の急速な切替とを提供することが非常に好ましい。切り替わるまで付勢力が増加されることが好ましい。
【００８１】
次に、図１６〜１９の特定の実施形態を参照する。付勢部９４は、ターレット９６を一実施形態について図８及び１７及び図１０及び１８にそれぞれ示した第一の位置及び第二の位置へ付勢するターレットバネ１９７を有する。ターレットバネ１９７は、ターレット９６を付勢して、図９に示すような中間位置から離す。また、ターレットバネ１９７は、ターレット９６を上記移動体６８に対して継続的に付勢する。図１６〜１９に示した実施形態において、ターレットバネ１９７はターレット９６を圧迫する第一端１９９を有する。第二端１９５は、移動体６８の横壁７４に取り付けられ、カム追従部１８０用の空間を提供するために二股に分かれる。
【００８２】
図１１及び１２に示す実施形態において、付勢部９４は、内側端２０９においてサポート２４に旋回可能に結合されたリンク２０２を有する１つのオーバセンタ機構１９８を有する。サポート２４は柱２０６を有する。リンク２０２は、柱２０６にフィットする穴を有する。リンク２０２の他端２１１は、移動体６８にスライド可能に結合される。移動体６８は、上方へ延びる柱２０８を有する。リンク２０２の外側端２１１は、細長い楕円のような形状の開口部２１０を有する。開口部２１０はその内側端２１２においてわずかにくの字に曲がっている。柱２０８は、内側端２１２と外側端２１４の間で開口部２１０に沿って移動可能である。
【００８３】
本実施形態において、サポート２４は、リンク２０２の両端２０５、２０６の間に、サポート２４の残りの部分から前方へ突き出たフランジ２１６を有する。オーバセンタ機構１９８は、いずれか一方の端にループを有するオーバセンタバネ２００を有する。第一のループはフランジ２１６へ結合される。第二のループは、リンク２０２の両端２０９、２１１の間でリンク２０２に結合される。オーバセンタバネ２００は、急速に切り替わることと切り替わるまで付勢力を増加させることを特徴とする。
【００８４】
リンク２０２は、後退位置と前進位置の間における鏡筒５０の移動と縦一列に並んで、後退位置と前進位置の間で移動可能である。オーバセンタバネ２００が取り付けられたフランジ２１６は、後退位置においてリンク２０２の中心線より前方にあり、前進位置においてリンク２０２の中心線より後方にある。後退位置と前進位置の間を移動中、移動体６８の柱２０８は両端２０５、２０６の間を開口部２１０に沿って移動する。オーバセンタ機構１９８は、直接的に又は機械的に接続された部品を通じて間接的に鏡筒５０を回転させることによって、後退位置と前進位置との間で切り替えられる。
【００８５】
次に、図８〜１０及び１７〜３２の他の実施形態を参照する。ここでも、付勢部９４は、各端にそれぞれループ２０１、２０３を備えたオーバセンタバネ２００を有する。一方のループ２０１はツイスト・リング６６に結合される。他方のループ２０３はサポート２４又はフレーム２０の一部であるボス２９に結合される。これらループは、各々がそれぞれの一部分から外側へ延びたノブ２０５、２０７によって保持される。これらノブ２０５、２０７は、ループ２０１、２０３を保持するのに役立つノッチ又は類似の物（図示せず）を有してもよい。あるいは、サポート２４によって保持されたバネ２００が、フレーム２０又は別の動かない部分に結合されてもよい。
【００８６】
オーバセンタバネ２００は、配置機構２１８の一部である。配置機構２１８は、グリップ２２２とスライド２２４とを有するアクチュエータ２２０を有する。グリップ２２２は、本体の外側からアクセス可能であり、（図示するような）隆起した手に持つ部位、及び／又は、例えばギザギザやザラザラの付いたユーザによる操作を容易にする１以上の部位、を有してもよい。グリップ２２２は、前部カバー１６のくぼみ２２６内で前後に動くことができる。グリップ２２２は、くぼみ２２６の開口部２３０を貫いて突き出たコネクタ２２８を有する。開口部２３０は、くぼみ２２６内の中心に設けることができ、グリップ２２２と完全に重なる。これにより光が遮られる。グリップ２２２の移動はくぼみ２２６の長さによって制限される。移動は、くぼみ２２６内の開口部２３０の長さによっても制限できるが、これはカバー１６におけるグリップ２２２の嵌め合いがユーザにとって緩く見えるかもしれないという点で審美的に魅力に欠けるかもしれない。
【００８７】
アクチュエータ２２０は、レンズ・モジュール２２のガイド２８に隣接するアクチュエータ・ベース２３２にもたれて配置される。アクチュエータ・ベース２３２は、フレーム２０の一部でもよく、或いは、別体の部材でもよく、或いは、サポート２４のガイド２８又はマウント２６と一体であってもよい。例えば、アクチュエータ・ベース２３２及びガイド２８は、一体のプラスティック鋳物の一部であってもよい。これは、配置装置を鏡筒５０と揃えることは、大体の場合、ガイド２８と並んだアクチュエータ・ベース２３２の物理的な位置決めの関数である、という点で便利である。特定の実施形態において、ガイド２８は、マウント２６に引っ掛けられ、アクチュエータ・ベース２３２及びマウント２６はいずれも、使用中に一方が他方に対して曲がるリスクを低減するために、フレーム２０に引っ掛けられる。
【００８８】
アクチュエータ２２０のスライド２２４は、アクチュエータ・ベース２３２に支えられ、アクチュエータ・ベース２３２上を往復移動できる。スライド２２４は、下段２３６がアクチュエータ・ベース２３２の溝２３８に乗る段差形状（図２８参照）を有してもよい。リブ２４０は下段２３６から外側へ延びる。リブ２４０は、アクチュエータ２２０の移動方向に対して横向きに延びる。リブ２４０は、１組の対向する面２３９、２４１を有する。移行部（ｔｒａｎｓｉｔｉｏｎ）２４２は、下段２３６に隣接し、上段２４４へ向けて上方に傾斜する。上段２４４は、アクチュエータ・ベース２３２の棚２４６に寄り掛かる。棚２４６及び溝２３８はスライド２２４が接触するところでは平らであるが、摩擦を減らすために修正されてもよい。溝２３８と棚２４６の間のアクチュエータ・ベース２３２の領域２４７は、移行部２４２のためのクリアランスを設けるために、切り落とされる。
【００８９】
アクチュエータ・ベース２３２は、１組のフランジ２４８、２５０（図２６〜２８参照）を有する。第一のフランジ２４８は、アクチュエータ・ベース２３２の溝２３８と隣接する溝２５２と重なる。同様の溝２５４は、アクチュエータ・ベース２３２の傾斜領域２４７と隣接する。第二のフランジ２５０は、第二の溝２５４と重なる。スライド２２４の下段２３６は、第一の溝２５２にフィットする形状のタング（ｔａｎｇ）２５６を有する。スライド２２４の上段は、第二の溝２５４に嵌まる同様のタング２５７を有する。溝２３８の両端は開放されており、スライド２２４はわずかに曲がることができる。これにより、カメラ１０の組立中、フランジ２４８、２５０の下でスライド２２４をスライドさせることができる。
【００９０】
つめアーム２５８は、先端につめ２６２を有する可撓アーム２６０を有する。つめアーム２５８は、スライド２２４の上段２４４に結合される。止めリブ２６４は、アクチュエータ・ベース２３２から外側へ突き出る。つめアーム２５８は、止めリブ２６４に寄り掛かり、アクチュエータ２２０を、第一の位置と第二の位置の間の中間位置から離し、第一の位置及び第二の位置へ向けて弾性的に付勢する。つめアーム２５８及び止めリブ２６４は相まって、アクチュエータ・オーバセンタ機構１９８ａを提供する。このオーバセンタ機構１９８ａは、オーバセンタバネ２００を含む第二のオーバセンタ機構又は駆動オーバセンタ機構１９８ｂと協働する。
【００９１】
スライド２２４の上段２４４は、グリップ２２２のコネクタ２２８を受け入れる金具（ｆｉｔｔｉｎｇ）２６６を有する。図示した実施形態において、グリップ２２２は、スライド２２４の上段の穴に簡単に嵌め込める。これにより、グリップ２２２を追加的部品を使用せずに所定の位置に保持することができ、カメラ１０の組立が容易になるため、便利である。部品を取り付けるための代替的アプローチは当業者には良く知られている。
【００９２】
アクチュエータ・ベース２３２は、外側へ延びる柱２６８と、駆動ユニット座２７０とを有する。駆動ユニット座２７０及び柱２６８は、互いにオフセットされる。駆動ユニット２７２は、駆動ユニット座２７０に座らされ、座２７０を貫いて延びる駆動軸２７４（図２０に示す）周りに旋回可能である。駆動ユニット２７２及び駆動ユニット座２７０は、ハブと軸のように嵌め合うこともできるが、いくつかの図に示すように、駆動ユニット座２７０が縁の付いた穴を有し、駆動ユニットがスナップ・コネクタ２７３を有する緩い嵌め合いを提供することが便利である
駆動ユニット２７２は、環状の歯を有するギアホイール２７６を有する。柱２７７は、ギアホイール２７６の外周近くにおいて上方に延びる。駆動ユニット２７２は、ギアホイール２７６の外周近くにおいて、ギアホイール２７６から下方へ延びる１組の下方へ延びるストッパ２７８、２８０を有する。柱２６８及びストッパ２７８、２８０は、それぞれに半径方向に配置されてもよいが、図示するように周辺に配置すると、所定のギアホイール・サイズに対して、駆動ユニット２７２の移動が最大化される。柱２６８及びストッパ２７８、２８０は、延長部分（図示せず）上を更に半径方向外側へ移動させることもできるが、これは装置の組立を複雑にし得る。ギアホイール２７６はスライド２２４と重なる。これは、配置装置２１８が必要とする空間を低減する。
【００９３】
ストッパ２７８、２８０は、アクチュエータ２２０の移動中、リブ２４０と干渉し得る。ストッパ２７８、２８０は、互いに離間して配置される。この間隔は、様々に変化させ得るが、駆動ユニット２７２の移動方向において１８０°を越えることが望ましい（後に詳述する）。図２０〜３２に示す配置装置において、このストッパの間隔は、駆動ユニット２７２の移動方向において、２７０°である。１８０°未満の角度も採用できるが、配置可能な構成要素の所定の移動についてより大きなギアホイール２７６を用いることが必要となる。これは、ここに記載した配置装置２１８の利点であるコンパクトさを低減させるものである。
【００９４】
使用中、ギアホイール２７６は、完全な円状の歯を持つ必要はない。例えば、図２０〜３２の実施形態において、２つのストッパ２７８、２８０の間の９０°弧の歯は機能しておらず、除去し得る。組立中には、完成した装置において機能しないにもかかわらず、完全な円の歯が有利となり得る。なぜなら、駆動ユニット２７２をランダムな向きで所定の位置に置き、正しい方向を向くまでいずれかの方向に回転させることができるからである。そして、正しい向きに達すると、駆動ユニット２７２が配置可能な構成要素２１８に組み付けられる。
【００９５】
ツイスト・リング６６には、駆動ユニット２７２の動きと合わせるために、歯が付けられる。すなわち、これらの歯は、駆動ユニット２７２の機能する歯を補完する。
【００９６】
図２０〜３２の実施形態において、駆動オーバセンタ機構１９８ｂは、アクチュエータ・ベース２３２及び駆動ユニット２７２にマウントされる。駆動オーバセンタ機構１９８ｂは、２つの対向するアームの各々の一端にループ２０１、２０３を有するオーバセンタバネ２００を有する。第一のループ２０１は、駆動ユニット２７２の柱２７７にフィットする。第二のループ２０３は、アクチュエータ・ベース２３２の柱２６８にフィットする。オーバセンタバネ２００は、駆動ユニット２７２、歯合させたツイスト・リング６、及び、移動体６８を、中間的な方向から離して図２１に示す方向へ向けて付勢する。
【００９７】
他の種類のオーバセンタ機構をここに開示したものの代わりに用いることもできる。例えば、つめアーム２５８及び止めリブ２６４は、図示したようなオーバセンタバネと置き換えることができる（オーバセンタバネの各ループを保持するためにアクチュエータ・ベース２３２及びスライダ２２４に柱が加えられてもよい）。
【００９８】
後退位置と前進位置との間での鏡筒５０の切り替えは、ユーザがアクチュエータ２２０のグリップ２２２を押すことによって始まる。これにより、アクチュエータ２２０は第一の位置から第二の位置へ向けて動かされる。アクチュエータ２２０が第一の位置から離れると、アクチュエータ２２０のリブ２４０の第一の面２３９が駆動ユニット２７２の第一のストッパ２７８を押圧する。これにより、駆動ユニット２７２は中間的な方向の第一のレンジを通り、中央方向に向けて旋回する。この旋回は、アクチュエータ・オーバセンタ機構１９８ａ及び駆動オーバセンタ機構１９８ｂによって妨害される。アクチュエータ２２０の動きは、中央レンジの配置に達するまで、継続する。この時点で、アクチュエータ・オーバセンタ機構１９８ａによる付勢は、第二の位置へ向けた付勢に切り替わる。このアクチュエータ・オーバセンタ機構１９８ａによる正方向への付勢は、駆動オーバセンタ機構１９８ｂによる継続的な付勢と逆向きである。
【００９９】
駆動ユニット２７２が中央方向に達すると、駆動オーバセンタ機構１９８ｂは駆動ユニット２７２の旋回に切り替わり、駆動ユニット２７２を正方向に第二端方向へ付勢する。この時点で、両オーバセンタ機構１９８ａ、１９８ｂによる付勢は、同じ向きである。アクチュエータ２２０は、第二の位置に達し、アクチュエータが動きを止めるまで、動き続ける。駆動ユニット２７２は、駆動オーバセンタ機構１９８ｂの正方向付勢下で正方向への移動を続ける。図示する実施形態において、駆動ユニット２７２は、中央方向に達した後、アクチュエータ２２０とは独立して動く。これにより、駆動ユニット２７２の第一のストッパ２７８はアクチュエータ２２０のリブ２４０の第一の面２３９から離れる。駆動オーバセンタ機構１９８ｂの付勢は、駆動ユニット２７２を中間的な方向の第二のレンジを通って第二端方向へ旋回させる。アクチュエータ２２０は第二の向きのままである。駆動ユニット２７２の旋回が続けられている間、駆動ユニット２７２の第二のストッパ２８０がやって来て、リブ２４０の第二の面２４１に達する。
【０１００】
両位置間での鏡筒の動きは、ストッパ２７８、２８０によって区切られてもよく、或いは、ストッパ２７８、２８０と１つ又は２つのレストとの双方によって区切られてもよく、或いは、レスト又はサポートの一部のみによって区切られてもよい。前二者の場合、ストッパ２７８、２８０は、リブ２４０から限界位置まで離される。
【０１０１】
特定の実施形態において、カメラ１０は保定器６２を有する。保定器６２は、１以上のレンズ素子の位置を定めるのに用いられる。保定器６２が鏡筒７２の移動を制限するために用いられる場合、保定器６２もここでは移動ストッパ６２ａと呼ばれる。
【０１０２】
次に図８〜１０及び３３〜３５を参照する。移動ストッパ６２ａは、光軸３８上に中心を持つ開口部２８４を有するリング状の一体のプラスティック鋳物である。移動ストッパ６２ａは、環状の主部分２９８と、主部分２９８から軸方向に延びるスキッド（ｓｋｉｄ）２８６とを有する。スキッド２８６及び主部分２８８は、開口部２８４から半径方向外側に配置される。スキッド２８６は、マウント２６へ向けて光軸３８周りに螺旋状である。スキッドは１以上の傾斜部２９０を有する。各傾斜部２９０は光軸３８周りの個別の螺旋を定義する。
【０１０３】
移動ストッパ６２ａのスキッド２８６の傾斜２９０は、本実施形態では、前部レスト５４である。傾斜２９０は、鏡筒５０の第一の接触面５８と係合し、更に前方へ移動することをブロックすることによって鏡筒５０の前進位置を定める（図３４参照）。これらの実施形態においては、既述のように、鏡筒５０は、中央通路４０に配置された主部分８２と、主部分８２から外側へ突き出た複数の軌道追従部８０とを有する。第一の接触面５８は、軌道追従部７０の各々の柱８４の１つの一部である。第一の接触面５８の各部分は、比較的小さく、前進位置において各傾斜部２９０の半径方向に揃えられた部分のみを接触する。この接触する部分は、傾斜部のうち第一の接触面と接触する部分であり、傾斜部の中のごく一部にすぎない。
【０１０４】
図３３に示した実施形態において、移動ストッパ６２ａは、移動ストッパ６２ａの主部分２８８から軸方向外側へ延びる１以上の橋脚２９４も有する。各橋脚２９４は、弓形であり、部分的に主部分２９８の周囲に延びる。橋脚２９４は、１以上の傾斜部２９０から離間される。各橋脚２９４は、光軸３８に沿って延びる１以上の接触面２９６を有する。接触面２９６の各々は、光軸３８と平行に主寸法を有する。例えば、図３３に示した実施形態において、各橋脚２９４は、各橋脚の中央において互いに向き合う１組の対向する接触面の第一のペア２９６と、各橋脚の両端における第二のペア２９４とを有する。
【０１０５】
本実施形態において、ガイド２８は、前方リム４４を貫いて延びる１以上の連絡通路２９７を有する。連絡通路２９７は、中央通路４０からは半径方向外側に離間される。各連絡通路２９７は、リングの一部のような形状であり、各橋脚２９４と揃えられる。橋脚２９４は、図３４に示すように、各連絡通路２９７内へ延びてもよく、或いは、各連絡通路２９７から引っ込んでいてもよく、或いは、各連絡通路２９７を貫いて延びてもよい。橋脚２９４が光軸３８に沿って前方へ延び、移動ストッパ６２ａの主部分２８８が前方リム４４より後方にある、ことが今のところ好ましい。あるいは、橋脚２９４は、光軸３８に対して半径方向外側へ延びてもよい。移動ストッパ６２ａは、前方リム４４に隣接するガイド２８にマウントされる。移動ストッパ６２ａのスキッド２８６は、ガイド２８の内部に配置される。傾斜部２９０はマウント２６の方を向いている。図示した実施形態において、スキッド２８６は、互いに離間され、光軸３８周りに均等に離間され、マウント２６へ向けて等しく傾いた３つの傾斜部２９０を有する。
【０１０６】
図３３〜３５に示す移動ストッパ６２ａは、主部分２９８の前方セクション３００と、軸方向に挿入される、主部分２９８の後方セクション３０２とを有する。前方セクション３００は、後ろ向きの肩部３０４を有する。組み立てられたレンズ・モジュール２２において、ツイスト・リング６６は、マウント２６の前方マージン２０６と移動ストッパ６２ａの肩部３０４との間に嵌まる。移動ストッパ６２ａは、ツイスト・リング６６とガイド２８の前方リム４４との間に嵌まる。
【０１０７】
移動ストッパ６２ａは、スキッド２８６がサポート２４及びフレーム２０に対して複数の異なる向きとなるまで光軸３８周りに旋回可能である。この旋回は、傾斜部のうち、各傾斜部に沿って第一の接触面と接触している部分をシフトさせる。保定器６２は、橋脚２９４の接触面２９６の１以上を押すことによって、旋回する。１以上の刃又はピンを備えたスパナ又は他の工具（図示せず）を、１以上の連絡通路内に挿入し、接触面２９６に寄り掛けて置き、この工具を用いて、保定器６２を光軸３８周りのいずれかの回転方向に押すことができる。また、橋脚２９４は、カメラの組立中、前部カバーを配置する前に、手で押すこともできる。
【０１０８】
移動ストッパ６２ａの旋回は、スキッド２８６及び鏡筒５０の相対的な半径方向の配列を変える。移動ストッパ６２ａが旋回すると、傾斜部２９０のうち各柱８４の一部と接触している部分は各傾斜部２９０に沿って移動する。これにより、前進位置における第一の接触面５８と鏡筒５０のレストとの軸方向配置が変わる。移動ストッパ６２ａは、組立中、個々のカメラ１０について、レンズ焦点を補正するために調整される。調整後、移動ストッパ６２ａは、部品間の摩擦又はクランピングなど固定などにより所定の位置に留められるか、或いは、接着剤や溶接などにより移動ストッパ６２ａを所定の位置に接着することにより、所定の位置に留められる。
【０１０９】
図３６、３７、及び４５に示す別の実施形態において、移動ストッパ６２ｂの複数の橋脚２９４は、一体に結合され、ガイド２８の前方リム４４へ延びる連続したつばを形成する。移動ストッパ６２ｂは、前方リム４４と移動体６２ｂの内部マージン３３０との重なりによって所定の位置に保持される。移動ストッパ６２ｂは、それ以外の点については、既述のものと同様である。
【０１１０】
前部移動ストッパ６２ｂに加えて又は代えて、後部移動ストッパ（図示せず）が設けられてもよい。後部ストッパは、移動ストッパ６２ａとは反対側でガイド２８にマウントされ、後退位置における鏡筒５０の位置を定める。後部移動ストッパは、ガイド２８の前方リム４４の方を向いたスキッド２８６を有する。スキッド２８６及び他の特徴は、これ以外の点については、記述のものと同様である。
【０１１１】
特定の実施形態においては、移動ストッパ６２ａ又は他の保定器６２を調整するのに、工具の代わりに、カバーガラス３１０が用いられる。図３３、３７、３７、及び４５を参照すると、カバーガラス３１０は、透明な又はフィルタするウィンドウ３１２を有する。カバーガラス３１０は、ウィンドウ３１２を支持する補強バンド３１４を有し、衝突に対する補強を備えることができる。調整部３１６は、マウント２６へ延びる１以上のラグ（ｌｕｇ）３１８を有する。特定の実施形態において、ウィンドウ３１２は、湾曲しており、光学倍率を持たない。
【０１１２】
カバーガラス３１０は、ガイド２８の前方リム４４にマウントされてもよく（図３３参照）、或いは、移動ストッパ６２ａにマウントされてもよい（図３６、３７、及び４５参照）。ウィンドウ３１２は、サポート２４の中央通路４０と一直線上にある。ラグ３１８は、移動ストッパ６２ａの橋脚２９４の中央において接触面２９６と係合するように配置される（図３３参照）。バンド３１４は、橋脚２９４の外側エッジ３０８と係合する。図３３に示す実施形態において、ラグ３１８は連絡通路２９７内に延びる（図３３及び３４参照）。カバーガラス３１０は、一体のプラスティック鋳物であってもよい。
【０１１３】
カバーガラス３１０は、少なくとも最初は、サポート２４に対して光軸３８周りに旋回可能である。カバーガラス３１０が回転すると、ラグ３１８は移動ストッパ６２ａを押し、移動ストッパ６２ａを光軸３８周りに旋回させる。
【０１１４】
次に図３８〜４０を参照する。本発明の特定の実施形態において、保定器６２ｂは、移動しないレンズと共に用いられる。このカメラ１０において、鏡筒５０は、前部レンズホルダ３２０によって置き換えられる。前部レンズ３２２は、前部レンズホルダ３２０に保持される。後部レンズ３２６は、後部レンズホルダ３２８に保持される。前部レンズホルダ３２０の位置は、後部レンズ３２６に対して、光軸３８に沿って調整され、光軸３８に沿った１つの位置におけるピント調整を提供する。これは、カメラが組み立てられた後は変えられないままとなる工場調整であってもよく、或いは、ユーザによって調整可能であってもよい。
【０１１５】
前部レンズホルダ３２０は、移動ストッパ６２ａについて既に既述したのと同じように、前部レンズ３２２を光軸３８に沿って再配置するために、スキッド２８６の傾斜部２９０に対して旋回される接触面３２４を有する。カバーガラス３１０は、前の実施形態と同じように機能する。カバーガラス３１０は、前部カバー１６にマウントされ、カバーガラス３１０のラグ３１８をレンズホルダ３２０の橋脚２９４の接触面２９６に接触させながら光軸３８周りに旋回させると、レンズホルダ３２０を光軸３８周りに回転させることができる。図３８〜４０の実施形態において、橋脚２９４は、光軸に対して半径方向外側へ延び、連続したリング内に一体に結合される。
【０１１６】
本発明を特定の好ましい実施形態について特に参照しながら詳細に説明したが、本発明の意図及び範囲内における変形及び修正が可能であることは明らかである。
【図面の簡単な説明】
【０１１７】
【図１】本発明に係るカメラの一実施形態の部分的に分解された正面斜視図である。
【図２】図１のカメラの正面斜視図である。
【図３】図１のカメラのレンズ・モジュールの部分的に分解された正面斜視図である。
【図４】図１のカメラの鏡筒の分解された正面斜視図である。
【図５】図３のレンズ・モジュールのサポートの斜視図である。
【図６】図５のサポートの分解図である。
【図７】図５のサポートの側面図（ターレットを含む）である。
【図８】鏡筒が前進位置にあり、ターレットが第一の位置にあり、シャッターが閉じている状態における図１のカメラのレンズ・モジュールの部分的に切り取られた斜視図である。
【図９】鏡筒が中間位置にあり、ターレットが第一の位置と第二の位置の間の中間位置にあり、シャッターが閉じている状態における図１のカメラのレンズ・モジュールの部分的に切り取られた斜視図である。
【図１０】鏡筒が後退位置にあり、ターレットが第二の位置にあり、シャッターが閉じている状態における図１のカメラのレンズ・モジュールの部分的に切り取られた斜視図である。
【図１１】鏡筒が前進位置にある状態における本発明に係るカメラの別の一実施形態の半図式的上面図である。
【図１２】鏡筒が後退位置にある状態における本発明に係るカメラの別の一実施形態の半図式的上面図である。
【図１３】フレームと、フィルム送りと、シャッターと、ターレットとを含む図１のフレーム・アッセンブリの、シャッターが閉じており、ターレットが第二の位置にある状態における斜視図である。
【図１４】図１３のフレーム・アッセンブリの部分正面図である。
【図１５】シャッターが開いた状態における図１３のフレーム・アッセンブリの部分正面図である。
【図１６】図１のカメラの鏡筒の部分的に切り取られた側面図である。
【図１７】ターレットが第一の位置にある状態における図１のカメラの鏡筒の後部斜視図（バッカー（ｂａｃｋｅｒ）及びシャッターは省略）である。
【図１８】ターレットが第二の位置にある状態における図１のカメラの鏡筒の後部斜視図（バッカー及びシャッターは省略）である。
【図１９】図１のカメラの鏡筒の部分的に展開された後部斜視図である。
【図２０】本発明のカメラの別の一実施形態の簡易展開斜視図（明確にするために、オーバセンタ機構及び関連部品のみ図示）である。
【図２１】ツイスト・リングが広角位置にある状態における図２０のカメラのアクチュエータ基台、サポート、及びツイスト・リングの正面図である。
【図２２】ツイスト・リングが望遠位置にある状態における図２０のカメラのアクチュエータ基台、サポート、及びツイスト・リングの正面図である。
【図２３】ツイスト・リングが望遠位置にある状態における図２０の配置装置の部分横断面図である。
【図２４】図２０のカメラのカメラ・フレーム、サポート、及びアクチュエータ基台の帳面図である。
【図２５】アクチュエータ基台を示す図２４の部分拡大図である。
【図２６】アクチュエータの内部サブユニットも示したアクチュエータ基台を示す図２４の部分拡大図である。
【図２７】アクチュエータの外部サブユニットを破線で示した図２０のカメラのアクチュエータの正面図である。
【図２８】図２０のカメラのアクチュエータの側面図である。
【図２９】図２０のカメラの駆動ユニットの斜視図である。
【図３０】図２９の駆動ユニットの正面図である。
【図３１】図２９の駆動ユニットの背面図である。
【図３２】図２９の駆動ユニットの底面図である。
【図３３】カバーガラスの一部を破線で示した図１のカメラの前方移動ストッパの正面斜視図である。
【図３４】図１のカメラのレンズ・モジュールの部分的に切り取られた正面斜視図である。
【図３５】図１のカメラのレンズ・モジュールの部分的に切り取られた側面図である。
【図３６】カバーガラスがレンズ・モジュールから分離された状態における本発明のカメラの別の一実施形態のフレーム・アッセンブリの正面斜視図である。
【図３７】図３６のフレーム・アッセンブリの正面図である。
【図３８】本発明のカメラの別の一実施形態の部分横断面図である。
【図３９】図３８のフロント・レンズ・ホルダ及びフロント・レンズの正面図である。
【図４０】本発明のカメラの別の一実施形態のフロント・レンズ・ホルダの正面斜視図である。
【図４１】シャッターが閉じた状態における図１のカメラのシャッター機構、フィルム送り、及び他の関連部品の上面図である。
【図４２】シャッターが開いた状態における図１のカメラのシャッター機構、フィルム送り、及び他の関連部品の上面図である。
【図４３】シャッターが開いた状態にあることを示す図４２と同じ部位の上面図である。
【図４４】図４２及び４３のシャッター及びシャッター・ドライバの斜視図である。
【図４５】シャッターが開いた状態（ゆえに図では見えない）における図３６のフレーム・アッセンブリの横断面図である。
【符号の説明】
【０１１８】
１０  カメラ
１２  フレーム・アッセンブリ
１６  前部カバー
１８  後部カバー
２０  フレーム
２２  レンズ・モジュール
２４  サポート
２６  マウント
２８  ガイド
３０  フック
３２  キャプチャ・ユニット
３４  フィルム送り
３６  フラッシュ・ユニット
３８  光軸
４０  中央通路
４２  後方リム
４４  前方リム
４８  マスク構造
５０  鏡筒
５４  前部レスト
５６  後部レスト
６２  移動ストッパ
６４  突起
６６  ツイスト・リング
６８  移動体
７０  キャップ
７２  軌道部
７４  横壁
７６  環状外壁
８０  軌道追従部
８６  トラッキング部分
８８  内部軌道
９０  環状壁
９２  スロット
９４  付勢部
９６  ターレット
９８、９９  後部光学素子用座部
１００、１０２  アパーチャ
１０４  旋回軸
１０６  フロント・レンズ素子
１０８  第一のターレット・レンズ素子
１１０  第二のターレット・レンズ素子
１１２  シャッター
１１４  シャッター機構
１１６  シャッターリリース
１１８  シャッター駆動レバー
１２０  円板
１２１  撮り込み面
１２２  写真フィルム
１２４  スプール
１２６  逆止つめ
１２８  フィルム計測スプロケット
１３０  スプロケット・シャフト
１３２  アクチュエータ・ディスク
１３４  チャージ・カム
１３６  ノッチ
１３８  シャッターボタン
１４０  可撓性アーム
１４２  ラッチ部材
１４４  フィルム計測レバー
１４６  コイルバネ
１４８  歯付きアーム
１５０  つめアーム
１５２  バネ
１５４  座
１５６、１５８  連結棒
１６４  平行棒
１６６  ストライカー
１６８  座
１７１  フィンガ
１７３  ヨーク
１７６  リブ
１７８  バッカー
１７９  スタンドオフ
１８０  カム追従部
１８４  カム・スロット
１９０  カム・フィンガ
１９４  カム・ノッチ
１９７  ターレットバネ
１９８  オーバセンタ機構
２００  オーバセンタバネ
２０１、２０３  ループ
２０２  リンク
２０５、２０７  ノブ
２１６  フランジ
２１８  配置機構
２２０  アクチュエータ
２２２  グリップ
２２４  スライド
２２６  くぼみ
２２８  コネクタ
２３２  アクチュエータ・ベース
２４０  リブ
２４２  移行部
２４６  棚
２４８、２５０  フランジ
２５６  タング
２５８  つめアーム
２６０  可撓アーム
２６２  つめ
２６４  止めリブ
２６６  金具
２７０  駆動ユニット座
２７２  駆動ユニット
２７３  スナップ・コネクタ
２７４  駆動軸
２７６  ギアホイール
２７８、２８０  ストッパ
２８６  スキッド
２９０  傾斜部
２９４  橋脚
２９７  連絡通路
３００  前方セクション
３０２  後方セクション
３０４  肩部
３１０  カバーガラス
３１２  ウィンドウ
３１４  補強バンド
３１６  調整部
３１８  ラグ
３２０  前部レンズホルダ
３２２  前部レンズ
３２６  後部レンズ
３２８  後部レンズホルダ
【図１】
2004354989.tif 000003
【図２】
2004354989.tif 000004
【図３】
2004354989.tif 000005
【図４】
2004354989.tif 000006
【図５】
2004354989.tif 000007
【図６】
2004354989.tif 000008
【図７】
2004354989.tif 000009
【図８】
2004354989.tif 000010
【図９】
2004354989.tif 000011
【図１０】
2004354989.tif 000012
【図１１】
2004354989.tif 000013
【図１２】
2004354989.tif 000014
【図１３】
2004354989.tif 000015
【図１４】
2004354989.tif 000016
【図１５】
2004354989.tif 000017
【図１６】
2004354989.tif 000018
【図１７】
2004354989.tif 000019
【図１８】
2004354989.tif 000020
【図１９】
2004354989.tif 000021
【図２０】
2004354989.tif 000022
【図２１】
2004354989.tif 000023
【図２２】
2004354989.tif 000024
【図２３】
2004354989.tif 000025
【図２４】
2004354989.tif 000026
【図２５】
2004354989.tif 000027
【図２６】
2004354989.tif 000028
【図２７】
2004354989.tif 000029
【図２８】
2004354989.tif 000030
【図２９】
2004354989.tif 000031
【図３０】
2004354989.tif 000032
【図３１】
2004354989.tif 000033
【図３２】
2004354989.tif 000034
【図３３】
2004354989.tif 000035
【図３４】
2004354989.tif 000036
【図３５】
2004354989.tif 000037
【図３６】
2004354989.tif 000038
【図３７】
2004354989.tif 000039
【図３８】
2004354989.tif 000040
【図３９】
2004354989.tif 000041
【図４０】
2004354989.tif 000042
【図４１】
2004354989.tif 000043
【図４２】
2004354989.tif 000044
【図４３】
2004354989.tif 000045
【図４４】
2004354989.tif 000046
【図４５】
2004354989.tif 000047